(57)【要約】      （修正有）【課題】円筒形の成形品の側面に綺麗に転写することが可能なスライド転写装置を提供する。【解決手段】転写機３と治具７にセットされた成形品３０の間に転写フィルム８を送り出し、巻取るフィルム供給機４と、上記転写機３と上記フィルム供給機４を同時に左右にスライドさせる駆動部５とを備え、治具駆動装置２によって上記治具７にセットされた上記成形品３０をスライドさせ、版９によって上記成形品３０の側面に上記転写フィルム８が押し付けられる状態とし、次に、上記駆動部５が作動して上記転写機３と上記フィルム供給機４を同時に左右にスライドさせることによって、熱源１０によって加熱された上記版９が上記転写フィルム８を上記成形品３０の側面に押し付けながらスライドし、上記成形品３０を回転させながら上記版９の表面に刻まれた文字あるいは図柄を上記成形品３０の側面に転写する。【選択図】図１
2010017884.tif 000002
【特許請求の範囲】
【請求項１】
成形品を回転可能に保持する治具を有し、上記治具にセットされた上記成形品をスライドさせ所定の位置に配置する治具駆動装置と、
上記フィルムを上記成形品に押し付けて転写する版と、上記版を加熱する熱源とを有し、上記成形品の表面に転写フィルムを転写させる転写機と、
上記転写機と上記治具にセットされた成形品の間に上記転写フィルムを送り出し、巻取るフィルム供給機と、
上記転写機と上記フィルム供給機を同時に左右にスライドさせる駆動部とを備え、
上記治具駆動装置によって上記治具にセットされた上記成形品をスライドさせ、上記版によって上記成形品の側面に上記転写フィルムが押し付けられる状態とし、次に、上記駆動部が作動して上記転写機と上記フィルム供給機を同時に左右にスライドさせることによって、上記熱源によって加熱された上記版が上記転写フィルムを上記成形品の側面に押し付けながらスライドし、上記成形品を回転させながら上記版の表面に刻まれた文字あるいは図柄を上記成形品の側面に転写することを特徴とするスライド転写装置。
【請求項２】
上記治具に上記成形品をセットする成形品運搬手段を備えることを特徴とする請求項１に記載のスライド転写装置。
【発明の詳細な説明】
【技術分野】
【０００１】
本発明は、成形品の側面に文字等を転写するためのスライド転写装置に関する。
【背景技術】
【０００２】
樹脂等の成形品の表面に文字や絵等を印刷するために、文字や絵等が印刷された転写フィルムを転写する転写装置が用いられている。一例として、特許文献１に記載されているような転写装置がある。
【特許文献１】特開平１０−２７２８９８号公報
【発明の開示】
【発明が解決しようとする課題】
【０００３】
従来の転写装置では、特に箔を円筒形状の成形品の側面に転写する際に、転写不良が生じる恐れがあった。
【０００４】
そこで、本発明は上述の問題を解決するために、円筒形の成形品の側面に綺麗に転写することが可能なスライド転写装置を提供することを目的とする。
【課題を解決するための手段】
【０００５】
本発明のスライド転写装置は、成形品を回転可能に保持する治具を有し、上記治具にセットされた上記成形品をスライドさせ所定の位置に配置する治具駆動装置と、上記フィルムを上記成形品に押し付けて転写する版と、上記版を加熱する熱源とを有し、上記成形品の表面に転写フィルムを転写させる転写機と、上記転写機と上記治具にセットされた成形品の間に上記転写フィルムを送り出し、巻取るフィルム供給機と、上記転写機と上記フィルム供給機を同時に左右にスライドさせる駆動部とを備え、上記治具駆動装置によって上記治具にセットされた上記成形品をスライドさせ、上記版によって上記成形品の側面に上記転写フィルムが押し付けられる状態とし、次に、上記駆動部が作動して上記転写機と上記フィルム供給機を同時に左右にスライドさせることによって、上記熱源によって加熱された上記版が上記転写フィルムを上記成形品の側面に押し付けながらスライドし、上記成形品を回転させながら上記版の表面に刻まれた文字あるいは図柄を上記成形品の側面に転写することを特徴とする。
【０００６】
上記治具に上記成形品をセットする成形品運搬手段を備えることも可能である。
【発明の効果】
【０００７】
本発明のスライド転写装置は、成形品を回転可能に保持する治具を有し、上記治具にセットされた上記成形品をスライドさせ所定の位置に配置する治具駆動装置と、上記フィルムを上記成形品に押し付けて転写する版と、上記版を加熱する熱源とを有し、上記成形品の表面に転写フィルムを転写させる転写機と、上記転写機と上記治具にセットされた成形品の間に上記転写フィルムを送り出し、巻取るフィルム供給機と、上記転写機と上記フィルム供給機を同時に左右にスライドさせる駆動部とを備え、上記治具駆動装置によって上記治具にセットされた上記成形品をスライドさせ、上記版によって上記成形品の側面に上記転写フィルムが押し付けられる状態とし、次に、上記駆動部が作動して上記転写機と上記フィルム供給機を同時に左右にスライドさせることによって、上記熱源によって加熱された上記版が上記転写フィルムを上記成形品の側面に押し付けながらスライドし、上記成形品を回転させながら上記版の表面に刻まれた文字あるいは図柄を上記成形品の側面に転写することにより、円筒形状の成形品の側面に簡単にそして綺麗に転写することができる。
【０００８】
上記治具に上記成形品をセットする成形品運搬手段を備えることによって、自動的に成形品を治具にセットすることができ、より作業時間を短縮することが可能となる。
【発明を実施するための最良の形態】
【０００９】
本発明を、図を用いて以下に詳細に説明する。図１に示すのが本発明のスライド転写装置１の概略平面図（成形品運搬手段を省略した平面図）であり、図２に示すのが概略正面図である。
【００１０】
本発明のスライド転写装置１は、成形品３０を回転可能に保持する治具７を有し、上記治具７にセットされた上記成形品３０を前後にスライドさせ所定の位置に配置する治具駆動装置２と、上記成形品３０の表面に転写フィルム８を転写させる転写機３と、上記転写機３と上記治具７にセットされた成形品３０の間に上記転写フィルム８を送り出し、巻取るフィルム供給機４と、上記転写機３と上記フィルム供給機４を同時に左右にスライドさせる駆動部５と、上記治具７に上記成形品３０をセットする成形品運搬手段６とを備える。
【００１１】
上記治具駆動装置２は、スライドユニット２８によって上記治具７を前後にスライドさせる構造で、さらに、転写中に上記成形品３０の揺動や上下動を防止するために上記成形品３０の上部を上から押さえる端面押さえ手段２０を備える。上記端面押さえ手段２０は、上記成形品３０が上記治具７にセットされたらアームを旋回し上記成形品３０を上から押さえる構造である。また、上記駆動装置２は、図８に示すように、ステッピングモータ１８と、タイミングベルト１９を備えており、これらによって、上記治具７を回転させる構造となっている。
【００１２】
上記駆動装置２は、上記成形品３０をセットした図８（ａ）の状態から、上記スライドユニット２８の作動によって、上記成形品３０がセットされた上記治具７を前へとスライドさせる。この時、上記駆動装置２の後端に設けられたストッパーボルト２９が上記スライドユニット２８と当接することでスライドが停止され、図８（ｂ）に示す状態となる。
【００１３】
上記転写機３は、上記フィルム８を上記成形品３０に押し付けて転写する版９と、上記版９を加熱する熱源１０とを有し、上記版９の表面には、転写する文字あるいは絵柄の凹凸が刻まれている。上記凹凸が上記成形品３０の表面に上記転写フィルム８を押し付けられることにより、上記成形品３０の表面に文字や図柄が転写される。
【００１４】
上記フィルム供給機４は、上記転写フィルム８を送り出す供給リール１４と、転写後の転写フィルム８を巻取る巻取りリール１５とから構成され、上記供給リール１４と上記巻取りリール１５はモータで駆動される。上記供給リール１４と上記巻取りリール１５の間には、上記転写フィルム８をガイドするためのガイドローラ１６が複数配置され、直線上に配置されている２つのガイドローラ１６の間にスライド可能な段差ローラ１７を設け、上記転写フィルム８のテンションを調節し、たるみを防いでいる。
【００１５】
上記転写機３と上記フィルム供給機４は上記駆動部５によって左右にスライドする構造となっている。上記駆動部５は図９に示すように、スライドユニット１２とサーボモータ１３を備え、上記転写機３と上記フィルム供給機４を保持するフレーム１１を、上記スライドユニット１２と上記サーボモータ１３によって、左右にスライドする。これにより、上記転写機３と上記フィルム供給機４は同時にスライドすることができる。
【００１６】
上記成形品運搬手段６は、成形後の成形品３０を運搬してきて上記治具７へと移動させ、さらに転写後の成形品３０を次工程へと運搬するものであり、成形後の成形品３０を運んでくる供給ベルトコンベア２１と、転写後の成形品３０を次工程へと運ぶための排出ベルトコンベア２２と、上記成形品３０を上記供給ベルトコンベア２１から上記治具７へと移動し、さらに上記治具７から上記排出ベルトコンベア２２へと移動させる移動手段から構成される。
【００１７】
上記移動手段は、２本の支柱２７に水平方向にスライド可能に取り付けられた水平スライド部材２６と、上記水平スライド部材２６に対して垂直方向にスライド可能に取り付けられた垂直スライド部材２５によって上記成形品３０を移動させるものであり、上記成形品３０を保持するための２つの吸着部材２４を、上記垂直スライド部材２５の下端に設けられたアーム２３に備えている。２本の支柱２７は上記転写機３および駆動部４を挟むように配置され、上記垂直スライド部材２５および上記水平スライド部材２６が上記転写機３の上方に配置されている。
【００１８】
上記治具駆動装置２は、上記治具７をスライドさせ、上記治具７にセットされた上記成形品３０の表面に上記転写フィルム８を押し付け、さらに上記転写機３の版９へと押し付ける。このように上記治具駆動装置２の作動によって、上記版９が上記転写フィルム８を上記成形品３０の側面に押し付ける状態となる。
【００１９】
このような状態となったら、上記駆動部５が作動して上記転写機３と上記フィルム供給機４を同時に左右にスライドさせることによって、上記熱源１０によって加熱された上記版９が上記転写フィルム８を上記成形品３０の側面に押し付けながらスライドし、同時に、上記ステッピングモータ１８と上記タイミングベルト１９によって上記治具７が回転し、上記成形品３０が上記版９のスライドに合わせて回転することによって、上記版９に刻まれた文字あるいは図柄を上記成形品３０の側面に転写する。
【００２０】
このように、上記版９が横方向にスライドし、上記版９のスライドに合わせて上記成形品３０を回転させることによって、上記版９に刻まれた文字あるいは図柄が全て上記成形品３０の側面に転写されることとなる。
【００２１】
次に、本発明のスライド転写装置１を用いて転写する方法について詳しく説明する。まず初めに、上記供給ベルトコンベア２１によって成形後の成形品３０が運ばれてくる。所定の位置に上記成形品３０が到着したら、水平スライド部材２６と垂直スライド部材２５によって、上記吸着部２４を上記成形品３０の上へと移動させ、図３に示すように上記成形品３０の頂部を吸着して保持する。
【００２２】
上記成形品３０を保持した状態で、水平スライド部材２６と垂直スライド部材２５が作動し、上記成形品３０を上記治具７にセットする。その後、図２に示すように、上記吸着部２４による吸着を解除し、上記垂直スライド部材２５および上記水平スライド部材２６が作動して、上記吸着部２４は上記成形品３０から離れる。
【００２３】
上記治具７に上記成形品３０がセットされたら、上記端面押さえ手段２０が作動し、アームを旋回し上記成形品３０を上から押さえる。このようにして、上記成形品３０が上記治具７にセットされている間に、上記転写フィルム８の未使用の部分が上記版９の前に位置するように、上記フィルム供給機４が作動する。
【００２４】
上記成形品３０の上記治具７へのセット、および上記転写フィルム８のセットが完了したら、上記治具駆動装置２が作動し、上記治具７を前へとスライドさせ、図４に示すように、上記治具７にセットされた上記成形品３０の表面に上記転写フィルム８を押し付け、さらに上記転写機３の版９へと押し付ける。このように上記治具駆動装置２の作動によって、上記版９が上記転写フィルム８を上記成形品３０の側面に押し付ける状態となる。
【００２５】
このように上記治具駆動装置２が作動する前に、上記熱源１０によって上記版９を十分に加熱しておく。そして、上記版９が十分に加熱され、上記成形品３０が所定の位置にセットされたら転写を開始する。
【００２６】
上記駆動部５が作動して上記転写機３と上記フィルム供給機４を同時に右にスライドさせることによって、図５に示すように、上記熱源１０によって加熱された上記版９が上記転写フィルム８を上記成形品３０の側面に押し付けながら右にスライドする。この時、上記版９のスライドに合わせて、上記駆動装置２の作動によって上記成形品３０を回転させる。
【００２７】
上記版９がスライドすると同時に上記成形品３０を回転させることで、上記版９に刻まれた文字あるいは図柄の部分の上記転写フィルム８が上記成形品３０の側面の全面に転写される。
【００２８】
転写が終了したら、上記治具駆動装置２が作動し、上記成形品３０を後方へと移動させ、さらに、上記駆動部５が作動し、上記転写機３と上記フィルム供給機４を同時に左にスライドさせ、最初の状態へと戻す。
【００２９】
また、上記成形品３０の表面に文字等を転写している間に、上記供給ベルトコンベア２１によって次の成形品３０’を所定の位置に運んでおく。そして、転写が終了して、転写後の成形品３０が初めに上記治具７にセットされた位置に戻り、次に転写する成形品３０’が所定の位置に配置されたら、水平スライド部材２６と垂直スライド部材２５の作動によって、２つの吸着部２４をそれぞれ上記成形品３０と上記成形品３０’の上方に移動させ、図６に示すように、上記成形品３０と上記成形品３０’を同時に吸着し保持する。
【００３０】
そして、上記水平スライド部材２６と上記垂直スライド部材２５の作動によって、図７に示すように、上記成形品３０を上記排出ベルトコンベア２２上に移動させ、上記成形品３０’を上記治具７にセットする。そして、上記吸着部２４による吸着を解除し、上記成形品３０は上記排出ベルトコンベア２２によって次工程へと運ばれて行き、上記成形品３０’の転写が行われる。
【００３１】
このように、２つの上記吸着部２４を設けてその間隔を調節することによって、一度の上記水平スライド部材２６と上記垂直スライド部材２５の作動で２つの成形品３０，３０’を同時に移動させることができるので、作動時間を短縮することができる。
【００３２】
本発明のスライド転写装置は、円筒形の成形品の側面に文字や図柄を綺麗に転写することが可能であり、さらに、作業時間を短縮することもできる。
【図面の簡単な説明】
【００３３】
【図１】本発明のスライド転写装置の成形品運搬手段を省略した概略平面図である。
【図２】本発明のスライド転写装置の概略正面図である。
【図３】スライド転写装置の作動状態を示す図であり、成形品を吸着部で吸着した状態を示す図である。
【図４】スライド転写装置の作動状態を示す図であり、治具駆動装置によって成形品を前にスライドさせた状態を示す図である。
【図５】転写中のスライド転写装置の概略平面図である。
【図６】転写後の成形品と、次に転写する成形品を吸着部によって吸着した状態を示す図である。
【図７】転写後の成形品と、次に転写する成形品を吸着部によって吸着し移動させた状態を示す図である。
【図８】治具駆動装置の側面図である。
【図９】転写機と駆動部の正面図である。
【符号の説明】
【００３４】
１    スライド転写装置
２    治具駆動装置
３    転写機
４    フィルム供給機
５    駆動部
６    成形品運搬手段
７    治具
８    転写フィルム
９    版
１０  熱源
１１  フレーム
１２  スライドユニット
１３  サーボモータ
１４  供給リール
１５  巻取りリール
１６  ガイドローラ
１７  段差ローラ
１８  ステッピングモータ
１９  タイミングベルト
２０  端面押さえ手段
２１  供給ベルトコンベア
２２  排出ベルトコンベア
２３  アーム
２４  吸着部
２５  垂直スライド部材
２６  水平スライド部材
２７  支柱
２８  スライドユニット
２９  ストッパーボルト
３０  成形品
３０’成形品
【図１】
2010017884.tif 000003
【図２】
2010017884.tif 000004
【図３】
2010017884.tif 000005
【図４】
2010017884.tif 000006
【図５】
2010017884.tif 000007
【図６】
2010017884.tif 000008
【図７】
2010017884.tif 000009
【図８】
2010017884.tif 000010
【図９】
2010017884.tif 000011